(57)【要約】
【課題】  電気的な性能の良好で、小型の無線ＬＡＮユニットを提供する。
【解決手段】  本考案の無線ＬＡＮユニットは、電子部品２が搭載された回路基板１と、電子部品２を覆った状態で、回路基板１に取り付けられたシールドカバー３とを備え、シールドカバー３の上面板３ａには、背の高い電子部品２の上面と対向した位置に孔３ｃを設けたため、背の高い電子部品２の上面と上面板３ａとの間の容量結合が小さく、電気的な性能が良好であると共に、背の高い電子部品２の上面と上面板３ａの間隔を小さくできて、小型のもが得られる。
【選択図】        図２
0003101167.tif 000002
【実用新案登録請求の範囲】
【請求項１】
電子部品が搭載された回路基板と、前記電子部品を覆った状態で、前記回路基板に取り付けられたシールドカバーとを備え、前記シールドカバーの上面板には、背の高い前記電子部品の上面と対向した位置に孔を設けたことを特徴とする無線ＬＡＮユニット。
【請求項２】
前記電子部品は、第１の背の高い電子部品を有し、この第１の背の高い電子部品がパワーアンプ部品で構成されたことを特徴とする請求項１記載の無線ＬＡＮユニット。
【請求項３】
前記電子部品は、第２の背の高い電子部品、又は／及び第３の背の高い電子部品を有し、前記第２の背の高い電子部品が水晶発振器で構成されると共に、前記第３の背の高い電子部品がローパスフイルタで構成されたことを特徴とする請求項１、又は２記載の無線ＬＡＮユニット。
【請求項４】
背の高い前記電子部品の上面が前記孔に対向状態で近接して配置されたことを特徴とする請求項１から３の何れかに記載の無線ＬＡＮユニット。
【請求項５】
背の高い前記電子部品の上部は、前記孔内、或いは前記孔を貫通して位置したことを特徴とする請求項１から３の何れかに記載の無線ＬＡＮユニット。
【請求項６】
背の高い前記電子部品の上部が前記孔内に位置して、前記電子部品の上面と前記上面板の外面とを面一にしたことを特徴とする請求項５記載の無線ＬＡＮユニット。
【考案の詳細な説明】
【技術分野】
【０００１】
本考案はパソコン等に使用して好適な無線ＬＡＮユニットに関する。
【背景技術】
【０００２】
従来の無線ＬＡＮユニットの図面を説明すると、図４は従来の無線ＬＡＮユニットの分解斜視図、図５は従来の無線ＬＡＮユニットの平面図、図６は従来の無線ＬＡＮユニットの要部断面図である。
【０００３】
次に、従来の無線ＬＡＮユニットの構成を図４に基づいて説明すると、絶縁基板からなる回路基板５１には、配線パターン（図示せず）が設けられると共に、種々の電子部品５２が搭載されて、所望の電気回路が形成されている。
【０００４】
金属板からなる箱形のシールドカバー５３は、２つのカバー部５３ａ、５３ｂで構成され、このカバー部５３ａ、５３ｂ内には、電子部品５２を含む回路基板５１が収納された構成となっている。（例えば、特許文献１参照）
【０００５】
しかし、このような従来の無線ＬＡＮユニットは、図５，図６に示すように、回路基板５１に搭載された電子部品５２が第１の背の高いパワーアンプ部品５２ａ、第２の背の高い水晶発振器５２ｂ、及び第３の背の高いローパスフイルタ５２ｃを有したものとなっている。
【０００６】
そして、送信回路部に使用される第１の背の高いパワーアンプ部品５２ａ側にあっては、その上面がカバー部５３ａに近接すると、その間に容量成分が増加し、この容量成分がパワーアンプ部品５２ａの出力側から入力側への帰還容量として作用し、パワーアンプ部品５２ａの高周波特性（歪み、又は増幅度）が劣化し、場合によっては異常発振を起こして、パワーアンプとして機能しないことがあり、また、第２、第３の背の高い電子部品である水晶発振器５２ｂやローパスフイルタ５２ｃ等側は、その上面がカバー部５３ａに近接すると、その間に容量成分を持ち、電気的な性能が悪くなるため、第１の背の高いパワーアンプ部品５２ａ、第２の背の高い水晶発振器５２ｂ、及び第３の背の高いローパスフイルタ５２ｃの上面とカバー部５３との間の間隔を大きくする必要が生じて、大型になる。
【０００７】
【特許文献１】特開平１０−７５０８２号公報
【考案の開示】
【考案が解決しようとする課題】
【０００８】
従来の無線ＬＡＮユニットは、図５，図６に示すように、送信回路部に使用される第１の背の高いパワーアンプ部品５２ａ側にあっては、その上面がカバー部５３ａに近接すると、その間に容量成分が増加し、この容量成分がパワーアンプ部品５２ａの出力側から入力側への帰還容量として作用し、パワーアンプ部品５２ａの高周波特性（歪み、又は増幅度）が劣化し、場合によっては異常発振を起こして、パワーアンプとして機能しないことがあり、また、第２、第３の背の高い電子部品である水晶発振器５２ｂやローパスフイルタ５２ｃ等側は、その上面がカバー部５３ａに近接すると、その間に容量成分を持ち、電気的な性能が悪くなるため、第１の背の高いパワーアンプ部品５２ａ、第２の背の高い水晶発振器５２ｂ、及び第３の背の高いローパスフイルタ５２ｃの上面とカバー部５３との間の間隔を大きくする必要が生じて、大型になるという問題がある。
【０００９】
そこで、本考案は電気的な性能の良好で、小型の無線ＬＡＮユニットを提供することを目的とする。
【課題を解決するための手段】
【００１０】
上記課題を解決するための第１の解決手段として、電子部品が搭載された回路基板と、前記電子部品を覆った状態で、前記回路基板に取り付けられたシールドカバーとを備え、前記シールドカバーの上面板には、背の高い前記電子部品の上面と対向した位置に孔を設けた構成とした。
【００１１】
また、第２の解決手段として、前記電子部品は、第１の背の高い電子部品を有し、この第１の背の高い電子部品がパワーアンプ部品で構成された。
また、第３の解決手段として、前記電子部品は、第２の背の高い電子部品、又は／及び第３の背の高い電子部品を有し、前記第２の背の高い電子部品が水晶発振器で構成されると共に、前記第３の背の高い電子部品がローパスフイルタで構成された。
【００１２】
また、第４の解決手段として、背の高い前記電子部品の上面が前記孔に対向状態で近接して配置された構成とした。
また、第５の解決手段として、背の高い前記電子部品の上部は、前記孔内、或いは前記孔を貫通して位置した構成とした。
また、第６の解決手段として、背の高い前記電子部品の上部が前記孔内に位置して、前記電子部品の上面と前記上面板の外面とを面一にした構成とした。
【考案の効果】
【００１３】
本考案の無線ＬＡＮユニットは、電子部品が搭載された回路基板と、電子部品を覆った状態で、回路基板に取り付けられたシールドカバーとを備え、シールドカバーの上面板には、背の高い電子部品の上面と対向した位置に孔を設けたため、背の高い電子部品の上面と上面板との間の容量結合が小さく、電気的な性能が良好であると共に、背の高い電子部品の上面と上面板の間隔を小さくできて、小型のもが得られる。
【００１４】
また、電子部品は、第１の背の高い電子部品を有し、この第１の背の高い電子部品がパワーアンプ部品で構成されたため、送信回路部での異常発振の生じないものが得られる。
【００１５】
また、電子部品は、第２の背の高い電子部品、又は／及び第３の背の高い電子部品を有し、第２の背の高い電子部品が水晶発振器で構成されると共に、第３の背の高い電子部品がローパスフイルタで構成されたため、電気的な性能の良好なものが得られる。
【００１６】
また、背の高い電子部品の上面が孔に対向状態で近接して配置されたため、背の高い電子部品の上面と上面板の間隔を小さくできて、小型のもが得られる。
【００１７】
また、背の高い電子部品の上部は、孔内、或いは孔を貫通して位置したため、上面板と回路基板の間を小さくできて、一層小型のもが得られる。
【００１８】
また、背の高い電子部品の上部が孔内に位置して、電子部品の上面と上面板の外面とを面一にしたため、外力による電子部品の破損の無いものが得られる。
【考案を実施するための最良の形態】
【００１９】
本考案の無線ＬＡＮユニットの図面を説明すると、図１は本考案の無線ＬＡＮユニットの第１実施例を示す平面図、図２は本考案の無線ＬＡＮユニットの第１実施例を示す要部断面図、図３は本考案の無線ＬＡＮユニットの第２実施例を示す要部断面図である。
【００２０】
次に、本考案の無線ＬＡＮユニットの第１実施例の構成を図１、図２に基づいて説明すると、絶縁基板等からなる回路基板１には、配線パターン（図示せず）が設けられると共に、種々の電子部品２が搭載されて、所望の電気回路が形成されている。
【００２１】
そして、電子部品２は、パワーアンプ部品からなる第１の背の高い電子部品２ａ、水晶発振器からなる第２の背の高い電子部品２ｂ、及びローパスフイルタからなる第３の背の高い電子部品２ｃ等を有する。
【００２２】
金属板からなる箱形のシールドカバー３は、四角形状の上面板３ａと、この上面板３ａの４辺から折曲された４つの側面板３ｂと、上面板３ａに設けられた１つ、或いは複数の孔３ｃ、３ｄ、３ｅを有する。
【００２３】
このシールドカバー３は、上面板３ａと側面板３ｂによって電子部品２を覆った状態で、回路基板１に取り付けられており、この時、第１の背の高い電子部品２ａの上面は孔３ｃに、また、第２の背の高い電子部品２ｂの上面は孔３ｄに、更に、第３の背の高い電子部品２ｃの上面は孔３ｅに対向すると共に、それぞれ孔３ｃ、３ｄ、３ｅに近接した位置となっている。
【００２４】
そして、このような本考案の無線ＬＡＮユニットは、送信回路部に使用される第１の背の高い電子部品２ａであるパワーアンプ部品側にあっては、その上面がカバー部３ａの孔３ｃに近接しているため、第１の背の高い電子部品２ａ（パワーアンプ部品）と上面板３ａとの間の容量結合が少なく、異常発振を生じることが無く、また、第２，第３の背の高い電子部品２ｂ、２ｃ（水晶発振器とローパスフイルタ）側は、その上面が孔３ｄ、３ｅに対向した状態で近接しているため、その間の容量結合が少なく、電気的な性能が良好であると共に、上面板３ａと回路基板１との間の間隔を小さくできて、小型のものが得られる。  
【００２５】
また、図３は、本考案の無線ＬＡＮユニットの第２実施例を示し、この第２実施例は、パワーアンプ部品からなる第１の背の高い電子部品２ａ、水晶発振器からなる第２の背の高い電子部品２ｂ、及びローパスフイルタからなる第３の背の高い電子部品２ｃの上部が上面板３ａの孔３ｃ、３ｄ、３ｅ内に位置すると共に、少なくとも第１，第２の背の高い電子部品２ａ、２ｂの上面と上面板３ａの外面とを面一状態としたものである。
【００２６】
その他の構成は、上記第１実施例と同様であるので、同一部品に同一番号を付し、ここではその説明を省略するが、このような構成によって、上面板３ａと回路基板１との間の間隔を一層小さくできて、より小型のものが得られる。
【００２７】
なお、第１，第２，第３の背の高い電子部品２ａ、２ｂ、２ｃの上部が上面板３ａの孔３ｃ、３ｄ、３ｅを貫通して突出させても良く、また、第１，第２，第３の背の高い電子部品２ａ、２ｂ、２ｃは、一部の電子部品の上面が上面板３ａの孔に近接する構成と、一部の電子部品の上部が上面板３ａの孔内に位置する構成と、更に、一部の電子部品の上部が上面板３ａの孔を貫通する構成の３つを、任意に組み合わせて使用しても良い。
【００２８】
また、上記実施例は、シールドカバー３を金属板で形成したもので説明したが、絶縁材からなる箱形状部の外面に、メッキ等によって金属膜を形成して構成されたシールドカバーを使用しても良い。
【図面の簡単な説明】
【００２９】
【図１】本考案の無線ＬＡＮユニットの第１実施例を示す平面図。
【図２】本考案の無線ＬＡＮユニットの第１実施例を示す要部断面図。
【図３】本考案の無線ＬＡＮユニットの第２実施例を示す要部断面図。
【図４】従来の無線ＬＡＮユニットの分解斜視図。
【図５】従来の無線ＬＡＮユニットの平面図。
【図６】従来の無線ＬＡＮユニットの要部断面図。
【符号の説明】
【００３０】
１：回路基板
２：電子部品
２ａ：第１の背の高い電子部品（パワーアンプ部品）
２ｂ：第２の背の高い電子部品（水晶発振器）
２ｃ：第３の背の高い電子部品（ローパスフイルタ）
３：シールドカバー
３ａ：上面板
３ｂ：側面板
３ｃ：孔
３ｄ：孔
３ｅ：孔
【図１】
0003101167.tif 000003
【図２】
0003101167.tif 000004
【図３】
0003101167.tif 000005
【図４】
0003101167.tif 000006
【図５】
0003101167.tif 000007
【図６】
0003101167.tif 000008